(57)【特許請求の範囲】
【請求項１】
フロントカバーからのトルクを、タービンを介してトランスミッション側の部材に伝達するためのトルクコンバータのロックアップ装置であって、
前記フロントカバーと前記タービンとの間に配置されたクラッチ部と、
軸方向に移動自在に設けられ、前記クラッチ部をトルク伝達状態にするためのピストンと、
前記フロントカバーに固定され前記ピストンの内周面を軸方向に移動自在に支持するスリーブを有し、前記ピストンを作動させるための作動油が供給される油室を構成する支持部材と、
前記スリーブに固定され、軸方向に延びる筒状部を有し、前記筒状部に被係合部を有するドライブハブと、
前記ドライブハブの被係合部と、前記ピストンに形成され前記被係合部に係合する係合部と、を有し、前記ピストンの回転を前記支持部材の回転と同期させるための同期機構と、
を備えたトルクコンバータのロックアップ装置。
【請求項２】
前記支持部材は、前記スリーブに設けられ前記ピストンの内周面を軸方向に移動自在に支持する内周支持部と、前記ピストンの外周面を軸方向に移動自在に支持する外周支持部と、を有し、
前記ピストンと前記内周支持部との間、及び前記ピストンと前記外周支持部との間のそれぞれに設けられたシール部材をさらに備えた、
請求項１に記載のトルクコンバータのロックアップ装置。
【請求項３】
前記支持部材は、前記外周支持部を構成する油室プレートをさらに有し、
前記油室プレートは、
前記ピストンと軸方向に対向して配置されるとともに内周部が前記スリーブの外周部に固定された円板部と、
前記円板部の外周部に軸方向に延びて設けられ前記ピストンの外周面を移動自在に支持する筒状部と、
を有する、
請求項２に記載のトルクコンバータのロックアップ装置。
【請求項４】
前記スリーブは、前記油室に作動油を供給するための油路を有している、
請求項３に記載のトルクコンバータのロックアップ装置。
【請求項５】
前記ピストンの係合部は、前記ピストンの軸方向の全移動範囲で前記ドライブハブの被係合部に係合している、請求項１から４のいずれかに記載のトルクコンバータのロックアップ装置。
【発明の詳細な説明】
【技術分野】
【０００１】
本発明は、ロックアップ装置、特に、フロントカバーからのトルクを、タービンを介してトランスミッション側の部材に伝達するためのトルクコンバータのロックアップ装置に関する。
【背景技術】
【０００２】
トルクコンバータには、トルクをフロントカバーからタービンに直接伝達するためのロックアップ装置が設けられている場合が多い。このロックアップ装置は、フロントカバーに摩擦連結可能なピストンと、ピストンに固定される入力側プレートと、入力側プレートに支持される複数のトーションスプリングと、複数のトーションスプリングによってピストン及び入力側プレートに回転方向に弾性的に連結される出力側プレートと、を有している。出力側プレートはタービンに固定されている。
【０００３】
また、特許文献１に示されるように、ロックアップ装置のクラッチ容量を大きくするために、複数のクラッチプレートを用いた、いわゆる多板型のロックアップ装置も提案されている。
【０００４】
この特許文献１に示されたロックアップ装置は、フロントカバーとタービンとの間にクラッチ部が配置されている。クラッチ部は、複数のクラッチプレートを有しており、これらのクラッチプレートをピストンによって互いに圧接することによりロックアップ状態（動力伝達状態）となる。この状態では、フロントカバーからのトルクは、トルクコンバータ本体を介さずに、クラッチ部を介して直接的にタービンに伝達される。
【先行技術文献】
【特許文献】
【０００５】
【特許文献１】特開２０１２−２３７４４１号公報
【発明の概要】
【発明が解決しようとする課題】
【０００６】
特許文献１のロックアップ装置では、ピストンは、ピストンの内周側の部材及び外周側の部材に対して軸方向に移動自在に支持されている。そして、内周側及び外周側の部材は、フロントカバーに固定されている。したがって、フロントカバーに固定されてフロントカバーと同期して回転する。
【０００７】
ここで、ピストンと、ピストンを支持する内周側及び外周側の部材との間には油室が形成されているので、ピストンとこれらの部材との間にはシール部材が設けられている。このような構成において、ピストンがピストンを支持する内周及び外周の部材と相対回転すると、これらの間に設けられたシール部材あるいはピストンやそれを支持する部材が摩耗するという問題がある。
【０００８】
本発明の課題は、ピストン及びそれを支持する部材、またそれらの間に配置されたシール部材の摩耗を抑えることにある。
【課題を解決するための手段】
【０００９】
（１）本発明に係るトルクコンバータのロックアップ装置は、フロントカバーからのトルクを、タービンを介してトランスミッション側の部材に伝達するためのトルクコンバータのロックアップ装置であって、クラッチ部と、ピストンと、支持部材と、同期機構と、を備えている。クラッチ部はフロントカバーとタービンとの間に配置されている。ピストンは、軸方向に移動自在に設けられ、クラッチ部をトルク伝達状態にする。支持部材は、ピストンを移動自在に支持するとともに、ピストンを作動させるための作動油が供給される油室を構成する。同期機構はピストンの回転を支持部材の回転と同期させるための機構である。
【００１０】
この装置では、ピストンは支持部材に移動自在に支持されており、油室に供給される作動油によって移動させられる。そして、ピストンの作動によってクラッチ部はトルク伝達状態になる。
【００１１】
ここでは、ピストンとピストンを支持する支持部材とが同期して回転するので、ピストンと支持部材との間に相対回転は生じない。このため、ピストン及び支持部材の摩耗が防止でき、またそれらの間にシール部材が設けられた場合は、シール部材の摩耗を抑えることができる。
【００１２】
（２）好ましくは、支持部材は、フロントカバーに固定されており、内周支持部と、外周支持部と、を有している。内周支持部はピストンの内周面を軸方向に移動自在に支持する。外周支持部はピストンの外周面を軸方向に移動自在に支持する。そして、好ましくは、ピストンと内周支持部との間、及びピストンと外周支持部との間のそれぞれに設けられたシール部材をさらに備えている。
【００１３】
ここでは、ピストンと支持部材との間にシール部材が設けられ、これによりピストンと支持部材との間に油室が形成されている。ここで、ピストンは支持部材に対して軸方向に摺動するが、両者は同期して回転するので、シール部材の摩耗を抑えることができる。
【００１４】
（３）好ましくは、支持部材は、内周支持部を構成するスリーブと、外周支持部を構成する油室プレートと、を有する。スリーブは、フロントカバーに固定されてピストンの内周面を支持する外周面を有する。油室プレートは、円板部と、筒状部と、を有する。円板部は、ピストンと軸方向に対向して配置されるとともに、内周部がスリーブの外周部に固定されている。筒状部は、円板部の外周部に軸方向に延びて設けられピストンの外周面を移動自在に支持する。
【００１５】
（４）好ましくは、スリーブは、油室に作動油を供給するための油路を有している。
【００１６】
（５）好ましくは、ドライブハブをさらに備えている。ドライブハブは、支持部材に固定され、軸方向に延びる筒状部を有し、筒状部に周方向に並べてかつ軸方向に延びて形成された複数の被係合部を有する。クラッチ部は、ドライブハブのスリットに軸方向に移動自在に噛み合う歯を内周部に有するクラッチプレートを有している。また、好ましくは、同期機構は、ドライブハブに形成された被係合部と、ピストンに形成され被係合部に係合する係合部と、を有する。
【００１７】
ここでは、ドライブハブに形成されたスリットや凹凸部等の被係合部にピストンの一部（係合部）を係合させることによってピストンと支持部材とを同期させているので、軸方向において短いスペースで同期のための構成を実現することができる。
【００１８】
（６）好ましくは、ピストンの係合部は、ピストンの軸方向の全移動範囲でドライブハブの被係合部に係合している。このため、ピストンが軸方向に移動しても、ピストンの係合部と被係合部の係合が外れることはない。
【発明の効果】
【００１９】
以上のような本発明では、ピストン及びそれを支持する部材の回転を同期させたので、ピストン及びそれを支持する部材や、それらの間に配置されたシール部材の摩耗を抑えることができる。
【図面の簡単な説明】
【００２０】
【図１】本発明の一実施形態によるロックアップ装置を有するトルクコンバータの断面図。
【図２】図１のクラッチ部及びピストンを支持する部分を抽出して示す図。
【図３】ピストンの正面部分図
【図４】図１のダンパ部を抽出して示す図。
【図５】ダンパ部の位置決め構造を示す図。
【図６】ロックアップ装置の捩り特性を示す図。
【図７】同期機構の他の実施形態を示す図。
【図８】同期機構のさらに他の実施形態を示す図。
【発明を実施するための形態】
【００２１】
図１は、本発明の一実施形態によるロックアップ装置を有するトルクコンバータ１の断面部分図である。図１の左側にはエンジン（図示せず）が配置され、図の右側にトランスミッション（図示せず）が配置されている。なお、図１に示すＯ−Ｏがトルクコンバータ及びロックアップ装置の回転軸線である。また、以下では、回転軸から離れる方向を「径方向」とし、回転軸に沿う方向を「軸方向」とする。
【００２２】
［トルクコンバータ１の全体構成］
トルクコンバータ１は、エンジン側のクランクシャフト（図示せず）からトランスミッションの入力シャフトにトルクを伝達するための装置である。図１に示すように、トルクコンバータ１は、フロントカバー２と、トルクコンバータ本体６と、ロックアップ装置７とから、構成されている。
【００２３】
フロントカバー２は入力側の部材に固定される。フロントカバー２は、実質的に円板状の部材であり、その外周部にはトランスミッション側に突出する外周筒状部１０が形成されている。
【００２４】
トルクコンバータ本体６は、３種の羽根車（インペラ３、タービン４、及びステータ５）から構成されている。
【００２５】
インペラ３は、フロントカバー２の外周筒状部１０に溶接により固定されたインペラシェル１２と、インペラシェル１２の内側に固定された複数のインペラブレード１３と、インペラシェル１２の内周側に設けられた筒状のインペラハブ１４とから、構成されている。
【００２６】
タービン４は、流体室内でインペラ３に対向して配置されている。タービン４は、タービンシェル１５と、タービンシェル１５の内側に固定された複数のタービンブレード１６と、タービンシェル１５の内周側に固定されたタービンハブ１７と、から構成されている。タービンハブ１７は、径方向外側に延びるフランジ１７ａを有している。フランジ１７ａには、タービンシェル１５の内周部が、複数のリベット（図示せず）又は溶接によって固定されている。また、タービンハブ１７の内周部には、トランスミッションの入力シャフト（図示せず）が係合するスプライン孔が形成されている。
【００２７】
ステータ５は、インペラ３とタービン４の内周部間に配置され、タービン４からインペラ３に戻る作動油を整流する。ステータ５は、主に、ステータキャリア２０と、その外周面に設けられた複数のステータブレード２１と、から構成されている。ステータキャリア２０は、ワンウエイクラッチ２２を介して、固定シャフトに支持されている。なお、ステータキャリア２０の軸方向両側には、スラストベアリング２４，２５が設けられている。
【００２８】
［ロックアップ装置７］
図１及び図２に示すように、ロックアップ装置７は、フロントカバー２とタービン４との間の空間に配置されている。ロックアップ装置７は、クラッチユニット２８と、ダンパ部２９と、を有している。
【００２９】
＜クラッチユニット２８＞
図１及び図２に示すように、クラッチユニット２８は多板型のクラッチである。クラッチユニット２８は、複数のクラッチプレート３１（クラッチ部）と、ピストン３２と、スリーブ３３及び油室プレート３４からなる支持部材３５と、を有している。
【００３０】
−クラッチプレート３１−
複数のクラッチプレート３１は、フロントカバー２とピストン３２との間に配置されている。複数のクラッチプレート３１は、２枚の第１クラッチプレート３１ａと、２枚の第２クラッチプレート３１ｂと、を有している。第１クラッチプレート３１ａ及び第２クラッチプレート３１ｂのそれぞれは、環状に形成され、軸方向に交互に並べて配置されている。第１クラッチプレート３１ａの内周部には、複数の歯が形成されている。第１クラッチプレート３１ａ及び第２クラッチプレート３１ｂそれぞれの片面には、摩擦フェーシングが固定されている。第２クラッチプレート３１ｂの外周部には、複数の歯が形成されている。
【００３１】
−ピストン３２−
ピストン３２は、環状に形成され、フロントカバー２のトランスミッション側に配置されている。ピストン３２は、支持部材３５に軸方向に移動自在に支持されている。ピストン３２は、押圧部３２ａと、複数の係合凸部３２ｂと、を有する。押圧部３２ａは、複数のクラッチプレート３１をフロントカバー２側に押圧する部分である。押圧部３２ａは、軸方向において複数のクラッチプレート３１に対向するように、ピストン３２の外周部に設けられている。係合凸部３２ｂは、ピストン３２の内周部に、内周側に突出して形成されている。図３に示すように、複数の係合凸部３２ｂは周方向に所定の間隔で形成されている。なお、図３はピストン３２をフロントカバー２側から視た正面図である。
【００３２】
−支持部材３５−
支持部材３５を構成するスリーブ３３は、フロントカバー２側の側面に、軸方向に突出する環状凸部３３ａを有している。したがって、環状凸部３３ａの内周側及び外周側には、フロントカバー２との間に隙間が形成されている。環状凸部３３ａはフロントカバー２の側面に溶接等により固定されており、スリーブ３３はフロントカバー２と同期して回転する。また、スリーブ３３の外周部において、タービン４側の端部には、径方向外方に突出する環状のフランジ３３ｂが形成されている。
【００３３】
スリーブ３３には、第１クラッチプレート３１ａを支持するドライブハブ３７が固定されている。ドライブハブ３７は、実質的に円環状のハブ本体３７ａと、ハブ本体３７ａの外周部をフロントカバー２側に折り曲げて形成された筒状部３７ｂと、を有する。
【００３４】
ハブ本体３７ａは、スリーブ３３のフロントカバー２側の側面に固定されている。筒状部３７ｂには、軸方向に延びる複数のスリット（被係合部）３７ｃが、周方向に所定の間隔で形成されている。スリット３７ｃはフロントカバー２側が開放している。この複数のスリット３７ｃに、第１クラッチプレート３１ａの内周部に形成された歯が係合している。これにより、第１クラッチプレート３１ａは、ドライブハブ３７すなわちスリーブ３３に対して、相対回転不能であり、かつ軸方向に相対移動が可能である。
【００３５】
支持部材３５を構成する油室プレート３４は、ピストン３２のタービン４側に配置されている。油室プレート３４は、円板状の本体部３４ａと、本体部３４ａの外周部に形成された筒状部３４ｂと、を有している。本体部３４ａは、内周部がスリーブ３３のフランジ３３ｂに固定されている。筒状部３４ｂは、本体部３４ａの外周部をフロントカバー２側に折り曲げて形成されている。そして、この筒状部３４ｂによって、ピストン３２の外周部が軸方向に移動自在に支持されている。
【００３６】
＜油室プレート３４の支持構造＞
油室プレート３４は、本体部３４ａの内周部が、スリーブ３３のフランジ３３ｂのフロントカバー２側の側面に溶接により固定されている。ここで、油室プレート３４は、油室プレート３４とピストン３２との間に油室（後述する第１油室Ｃ１）を構成するための部材である。したがって、油室に作動油が供給されると、油室プレート３４には、ピストン３２から離れる側の力が作用する。しかし、油室プレート３４は、力が作用する側とは逆側、すなわちフランジ３３ｂのピストン３２側の側面に固定されているので、油圧によって油室プレート３４が受ける力はフランジ３３ｂによって支持され、油室プレート３４の変形を抑えることができる。
【００３７】
＜同期機構＞
ドライブハブ３７のスリット３７ｃには、ピストン３２の各係合凸部３２ｂが係合する。これにより、ピストン３２は、ドライブハブ３７を介して、スリーブ３３及びフロントカバー２と同期して回転する。すなわち、ドライブハブ３７のスリット３７ｃとピストン３２の係合凸部３２ｂとによって、ピストン３２を支持部材３５の回転と同期させるための同期機構が構成されている。
【００３８】
なお、スリット３７ｃとピストン３２の係合凸部３２ｂとは、ピストン３２の全移動範囲にわたって係合している。このため、ピストン３２が軸方向に移動しても、両者の係合が外れることはない。
【００３９】
＜油圧回路＞
スリーブ３３の外周面にはシール部材Ｓ１が設けられ、スリーブ３３の外周面とピストン３２の内周面との間がシールされている。また、ピストン３２の外周面にはシール部材Ｓ２が設けられ、ピストン３２の外周面と油室プレート３４の筒状部３４ｂの内周面との間がシールされている。このような構成により、ピストン３２と油室プレート３４との間に、ピストン３２をクラッチプレート３１に対して押圧するための第１油室Ｃ１が形成されている。
【００４０】
スリーブ３３には、タービンハブ１７の内周部から供給される作動油を第１油室Ｃ１に供給するための油圧回路が形成されている。油圧回路は、第１油路Ｐ１と、第２油路Ｐ２と、油溜まりＰｈと、を有している。
【００４１】
油溜まりＰｈはスリーブ３３のタービン４側の側面に形成されている。より詳細には、スリーブ３３のタービン４側の側面には、フロントカバー２側に凹む環状の溝３３ｃが形成されている。そして、この溝３３ｃを塞ぐように、環状のプレート３９がスリーブ３３に固定されている。すなわち、溝３３ｃ及びプレート３９によって油溜まりＰｈが形成されている。
【００４２】
第１油路Ｐ１は、スリーブ３３の環状凸部３３ａの内周面から油溜まりＰｈに向かって形成されている。第１油路Ｐ１は、複数の孔から構成されており、各孔は内周から外周側にかけてタービン４に近づくように傾斜している。
【００４３】
第２油路Ｐ２は、油溜まりＰｈと第１油室Ｃ１とを連通するように形成されている。第２油路は、複数の孔から構成されており、各孔は回転軸線に対して直交するように放射状に形成されている。
【００４４】
なお、第２油路Ｐ２の全流路面積は、第１油路Ｐ１の全流路面積より小さく設定されている。また、第２油路Ｐ２を構成する各孔の径は、第１油路Ｐ１を構成する各孔の径よりも小さい。このような構成により、作動油が第１油路Ｐ１及び第２油路Ｐ２を流通する際にオリフィス効果を得ることができ、第２油路Ｐ２から流出する作動油の速度、及びオイルポンプの脈動を抑えることができ、クラッチオン時のショックを緩和することができる。しかも、この実施形態では、第１油路Ｐ１と第２油路Ｐ２との間に油溜まりＰｈが形成されているので、さらにオイルポンプの脈動を抑えることができる。
【００４５】
また、スリーブ３３の内周部とタービンハブ１７との間には、第２油室Ｃ２が形成されている。この第２油室Ｃ２には、タービンハブ１７のフランジ１７ａに形成された孔１７ｂから作動油が供給される。そして、スリーブ３３には、第２油室Ｃ２とクラッチプレート３１が配置された空間との間を連通する第３油路Ｐ３が形成されている。
【００４６】
＜ダンパ部２９＞
ダンパ部２９は、フロントカバー２から入力される振動を減衰する。図４に示すように、ダンパ部２９は、入力側プレート４０と、内周側トーションスプリング４１と、中間プレート４２と、外周側トーションスプリング４３と、ドリブンプレート４４と、を有している。
【００４７】
−入力側プレート４０−
入力側プレート４０は、クラッチユニット２８の出力側に設けられている。具体的には、入力側プレート４０は、第１サイドプレート４５と、第２サイドプレート４６と、を有している。
【００４８】
第１サイドプレート４５はエンジン側に配置されている。第１サイドプレート４５は、フロントカバー２側に延びる第１クラッチ係合部４５ａと、複数の第１スプリング係合部４５ｂとを、有している。
【００４９】
第１クラッチ係合部４５ａは実質的に筒状に形成されている。第１クラッチ係合部４５ａには、軸方向に延びる複数の溝が周方向に所定の間隔で形成されている。複数の溝には、第２クラッチプレート３１ｂの外周部に形成された歯が係合している。したがって、第２クラッチプレート３１ｂと第１及び第２サイドプレート４５，４６とは、相対回転不能であり、かつ軸方向に相対移動が可能である。
【００５０】
複数の第１スプリング係合部４５ｂは、第１クラッチ係合部４５ａのタービン側から径方向内側に延びた部分に形成されている。具体的には、複数の第１スプリング係合部４５ｂは、周方向に所定の間隔を隔てて配置される窓部である。各第１スプリング係合部４５ｂの内周部及び外周部には、軸方向に切り起こされた切り起こし部が、形成されている。各第１スプリング係合部４５ｂには、内周側トーションスプリング４１が配置される。また、各第１スプリング係合部４５ｂにおいて周方向に対向する１対の壁部が、内周側トーションスプリング４１の両端部に係合している。
【００５１】
第２サイドプレート４６はトランスミッション側に配置されている。第２サイドプレート４６は、軸方向において、第１サイドプレート４５と所定の間隔を隔てて配置されている。第２サイドプレート４６は複数のスタッドピン４７によって、第１サイドプレート４５に一体回転可能に固定されている。
【００５２】
第２サイドプレート４６は複数の第２スプリング係合部４６ａを有している。複数の第２スプリング係合部４６ａは、周方向に所定の間隔を隔てて配置された窓部である。各第２スプリング係合部４６ａは、軸方向において、各第１スプリング係合部４５ｂに対向して配置されている。各第２スプリング係合部４６ａの内周部と外周部には、軸方向に切り起こされた切り起こし部が形成されている。各第２スプリング係合部４６ａには、内周側トーションスプリング４１が配置されている。また、各第２スプリング係合部４６ａにおいて周方向に対向する１対の壁部が、内周側トーションスプリング４１の両端部に係合している。
【００５３】
−内周側トーションスプリング４１−
複数の内周側トーションスプリング４１が周方向に並べて配置されている。
【００５４】
複数の内周側トーションスプリング４１のそれぞれは、大コイルスプリング４１ａと、小コイルスプリング４１ｂと、から構成されている。小コイルスプリング４１ｂは、大コイルスプリング４１ａの内部に挿入され、大コイルスプリング４１ａのスプリング長より短い。
【００５５】
各内周側トーションスプリング４１は、各サイドプレート４５，４６における第１スプリング係合部４５ｂ（窓部）及び第２スプリング係合部４６ａ（窓部）と、後述する中間プレート４２の第３スプリング係合部４２ａ（窓部）と、に配置されている。各内周側トーションスプリング４１は、第１から第３スプリング係合部４５ｂ，４６ａ，４２ａ（窓部）によって、周方向両端及び径方向両側が支持されている。また、各内周側トーションスプリング４１は、第１及び第２スプリング係合部４５ｂ，４６ａ（窓部）の切り起こし部によって、軸方向への飛び出しが規制されている。
【００５６】
−中間プレート４２−
中間プレート４２は、第１サイドプレート４５と第２サイドプレート４６との軸方向間に配置されている。中間プレート４２は、各サイドプレート４５，４６及びドリブンプレート４４に対して相対回転可能である。中間プレート４２は、内周側トーションスプリング４１と外周側トーションスプリング４３とを直列に作動させるための部材である。
【００５７】
中間プレート４２の外周部は、実質的に筒状に形成され、且つタービン４側が開口している。中間プレート４２の外周筒状部は、外周側トーションスプリング４３を保持している。また、外周筒状部の開口には、後述するドリブンプレート４４の第５スプリング係合部４４ｂが配置されている。
【００５８】
中間プレート４２は、複数の第３スプリング係合部４２ａと、複数の第４スプリング係合部４２ｂと、長孔４２ｄと、を有している。
【００５９】
複数の第３スプリング係合部４２ａのそれぞれは、中間プレート４２の内周部に設けられ、内周側トーションスプリング４１に係合する。複数の第３スプリング係合部４２ａは、周方向に所定の間隔を隔てて配置された窓部である。各第３スプリング係合部４２ａは、軸方向において、各第１及び第２スプリング係合部４５ｂ，４６ａに対向するように、各第１及び第２スプリング係合部４５ｂ，４６ａの間に配置されている。各第３スプリング係合部４２ａには、内周側トーションスプリング４１が配置される。また、各第３スプリング係合部４２ａにおいて周方向に対向する１対の壁部が、内周側トーションスプリング４１の両端部に係合している。
【００６０】
複数の第４スプリング係合部４２ｂのそれぞれは、中間プレート４２の外周部に周方向に所定の間隔で設けられ、外周側トーションスプリング４３に係合する。各第４スプリング係合部４２ｂは、外周側トーションスプリング４３の両端部に係合している。詳細には、各第４スプリング係合部４２ｂは、外周側トーションスプリング４３の両端部の内周側及び外周側に係合している。
【００６１】
長孔４２ｄは周方向に延びて形成されている。長孔４２ｄには、スタッドピン４７が挿通されている。詳細には、長孔４２ｄにはスタッドピン４７の胴部が挿通される。この状態において、スタッドピン４７の両端部が、第１サイドプレート４５及び第２サイドプレート４６に固定される。このスタッドピン４７を介して、中間プレート４２は、第１及び第２サイドプレート４５，４６に対して相対回転可能に装着されている。
【００６２】
−外周側トーションスプリング４３−
複数の外周側トーションスプリング４３は周方向に並べて配置されている。また、複数の外周側トーションスプリング４３は、クラッチユニット２８より径方向外側に配置されている。
【００６３】
複数の外周側トーションスプリング４３は、中間プレート４２の外周部に保持され、中間プレート４２を介して内周側トーションスプリング４１と直列に作動する。
【００６４】
各外周側トーションスプリング４３の周方向両端は、中間プレート４２の第４スプリング係合部４２ｂによって支持されている。また、各外周側トーションスプリング４３は、周方向に隣接する２つの第４スプリング係合部４２ｂの間において、中間プレート４２の外周部（筒状部）によって、径方向外側への飛び出しが規制されている。さらに、各外周側トーションスプリング４３の周方向両端部は、ドリブンプレート４４の第５スプリング係合部４４ｂに当接している。
【００６５】
−ドリブンプレート４４−
ドリブンプレート４４は、環状かつ円板状の部材であり、タービンシェル１５に固定されている。また、ドリブンプレート４４は中間プレート４２に対して相対回転可能である。
【００６６】
ドリブンプレート４４は、本体部４４ａと、複数の第５スプリング係合部４４ｂと、第１ストッパ爪４４ｃと、第２ストッパ爪４４ｄと、を有している。
【００６７】
本体部４４ａは、実質的に環状に形成され、タービンシェル１５に固定されている。詳細には、本体部４４ａは、固定手段例えば溶接によって、タービンシェル１５に固定されている。
【００６８】
複数の第５スプリング係合部４４ｂのそれぞれは、本体部４４ａの外周部に一体にかつ軸方向エンジン側に延びて形成され、外周側トーションスプリング４３に係合する。複数の第５スプリング係合部４４ｂのそれぞれは、ドリブンプレート４４の外周部を軸方向エンジン側に折り曲げて形成されている。
【００６９】
複数の第５スプリング係合部４４ｂは周方向に所定の間隔をあけて配置されている。周方向に隣接する２つの第５スプリング係合部４４ｂの間には、外周側トーションスプリング４３が配置されている。各第５スプリング係合部４４ｂは外周側トーションスプリング４３の両端部に係合している。
【００７０】
＜ストッパ機構＞
この実施形態では、中間プレート４２、第２サイドプレート４６、及びドリブンプレート４４のそれぞれの一部によって、各プレート４２，４６，４４の相対回転を規制するストッパ機構が構成されている。以下、詳細に説明する。
【００７１】
中間プレート４２の径方向の中間部には切欠き部４２ｃが形成されている。切欠き部４２ｃは、径方向において、第３スプリング係合部４２ａと、第４スプリング係合部４２ｂと、の間に設けられている。切欠き部４２ｃは、周方向に長く形成され、外周側が開放されている。一方、ドリブンプレート４４には、前述のように第１ストッパ爪４４ｃが形成されており、この第１ストッパ爪４４ｃが切欠き部４２ｃに挿入されている。
【００７２】
第１ストッパ爪４４ｃは、ドリブンプレート４４の内周部、すなわち本体部４４ａの内周部に設けられている。第１ストッパ爪４４ｃは、本体部４４ａの内周部から軸方向エンジン側に延びる部分である。詳細には、第１ストッパ爪４４ｃは、本体部４４ａの内周部を部分的に軸方向エンジン側に折り曲げて形成されている。
【００７３】
このような構成では、第１ストッパ爪４４ｃが中間プレートの切欠き部４２ｃの周方向の端面に当接することによって、中間プレート４２のドリブンプレート４４に対する回転が規制される。すなわち、中間プレート４２の切欠き部４２ｃ及び第１ストッパ爪４４ｃによってストッパ機構が構成されている。
【００７４】
また、第２サイドプレート４６の外周端には、外周側に開く切欠き部４６ｂが形成されている。一方、ドリブンプレート４４には、前述のように第２ストッパ爪４４ｄが形成されており、この第２ストッパ爪４４ｄが切欠き部４６ｂに挿入されている。
【００７５】
第２ストッパ爪４４ｄは、ドリブンプレート４４の内周部、すなわち本体部４４ａの内周部に形成されている。第２ストッパ爪４４ｄは、本体部４４ａの内周部の一部を、さらに内周側に延ばして形成されている。
【００７６】
このような構成では、第２ストッパ爪４４ｄが第２サイドプレート４６の切欠き部４６ｂの端面に当接することによって、第１及び第２サイドプレート４５，４６のドリブンプレート４４に対する回転が規制される。すなわち、第２サイドプレート４６の切欠き部４６ｂ及び第２ストッパ爪４４ｄによってストッパ機構が構成されている。
【００７７】
＜ダンパ部２９の位置決め構造＞
ダンパ部２９の位置決めのための構成を図５により説明する。この位置決めのための構成は、ダンパ部２９を径方向及び軸方向に位置決めするためのものである。
【００７８】
この実施形態では、タービンシェル１５は、タービンシェル本体５０と、連結部材５１と、を有している。タービンシェル本体５０は内部にタービンブレード１６が配置されている。連結部材５１は、外周部にタービンシェル本体５０の内周部が連結されるとともに、内周部がタービンハブ１７のフランジ１７ａに溶接又はリベット（図示せず）により連結されている。連結部材５１は、径方向の中間部に軸方向に延びる筒状部５１ａを有している。
【００７９】
筒状部５１ａには、切削等によって、第１位置決め面５１ｂと、第２位置決め面５１ｃと、が形成されている。第１位置決め面５１ｂは、環状でかつ回転軸線と平行に形成されている。第２位置決め面５１ｃは、環状に形成され、かつ第１位置決め面５１ｂのタービン４側の端部から回転軸線と直交して径方向外方に延びて形成されている。
【００８０】
そして、ダンパ部２９の中間プレート４２の内周端面が第１位置決め面５１ｂに当接し、これによりダンパ部２９全体が径方向に位置決めされている。また、中間プレート４２の内周端部の側面が第２位置決め面５１ｃに当接し、ダンパ部２９全体の軸方向タービン側への移動が規制されている。
【００８１】
さらに、連結部材５１の内周部において、フロントカバー２側の側面には、円板状の規制プレート５４が固定されている。規制プレート５４は、ダンパ部２９の第１サイドプレート４５の内周端よりさらに外周側に延びている。そして、第１サイドプレート４５のフロントカバー２側の側面が、規制プレート５４の外周端部に当接可能である。これにより、ダンパ部２９全体の軸方向フロントカバー２側への移動が規制されている。
【００８２】
［動作］
まず、トルクコンバータ本体６の動作について説明する。フロントカバー２及びインペラ３が回転している状態では、作動油がインペラ３からタービン４へ流れ、さらにステータ５を介してインペラ３に流れる。これにより、作動油を介してインペラ３からタービン４へトルクが伝達される。タービン４に伝達されたトルクは、タービンハブ１７を介してトランスミッションの入力シャフトに伝達される。
【００８３】
なお、エンジンが作動している間は、常に、作動油は、タービンハブ１７の孔１７ｂから第２油室Ｃ２に流入し、さらに第３油路Ｐ３を介してクラッチプレート３１及びインペラ３に供給されている。
【００８４】
トルクコンバータ１の速度比が上昇し、入力シャフトが一定の回転速度になると、第１油室Ｃ１には、第１油路Ｐ１、油溜まりＰｈ、及び第２油路Ｐ２を介して作動油が供給される。この場合の、第１油室Ｃ１の油圧は、クラッチプレート３１側に供給される作動油の油圧よりは高い。これにより、ピストン３２がフロントカバー２側に移動する。この結果、ピストン３２の押圧部３２ａが、クラッチプレート３１をフロントカバー２側に押圧し、ロックアップ状態（クラッチオン状態）になる。
【００８５】
以上のようなクラッチオン状態では、トルクはロックアップ装置７を介してフロントカバー２からトルクコンバータ本体６へと伝達される。具体的には、フロントカバー２に入力されたトルクは、ロックアップ装置７において「クラッチプレート３１→第１及び第２サイドプレート４５，４６→内周側トーションスプリング４１（大コイルスプリング４１ａ及び小コイルスプリング４１ｂ）→中間プレート４２→外周側トーションスプリング４３→ドリブンプレート４４」の経路で伝達され、タービンハブ１７に出力される。
【００８６】
ここで、クラッチオン状態のロックアップ装置７は、上記のようにトルクを伝達するとともに、フロントカバー２から入力されるトルク変動を減衰する。具体的には、ロックアップ装置７において捩り振動が発生すると、内周側トーションスプリング４１と外周側トーションスプリング４３とが、第１及び第２サイドプレート４５，４６とドリブンプレート４４との間で直列に圧縮される。このように、内周側トーションスプリング４１と外周側トーションスプリング４３とが作動することによって、捩り振動に伴うトルク変動が減衰される。
【００８７】
なお、ロックアップをオフ（クラッチオフ状態）にする場合は、第１油室Ｃ１がドレンに接続される。これにより、第１油室Ｃ１の作動油は、第２油路Ｐ２、油溜まりＰｈ、及び第１油路Ｐ１を介して排出される。このような状態では、第１油室Ｃ１の油圧はクラッチプレート３１側の油圧よりも低くなるので、ピストン３２がタービン４側に移動する。この結果、クラッチプレート３１に対するピストン３２の押圧部３２ａの押圧が、解除される。これにより、クラッチオフ状態になる。
【００８８】
［捩り特性］
次に、図６を用いて捩り特性について説明する。ロックアップ装置７がクラッチオンの状態では、フロントカバー２からのトルクがクラッチプレート３１を介してダンパ部２９に伝達される。このとき、第１及び第２サイドプレート４５，４６と、中間プレート４２及びドリブンプレート４４と、が相対回転し、これらの間に捩り角度が生じると、中間プレート４２を介して、内周側トーションスプリング４１の大コイルスプリング４１ａと、外周側トーションスプリング４３と、が直列に圧縮される。これにより、第１捩り剛性Ｋ１が形成される。捩り角度に対するトルクが第１捩り剛性Ｋ１によって決定される範囲を、図６では符号Ｊ１で示している。
【００８９】
次に、伝達されるトルクが大きくなると、第１及び第２サイドプレート４５，４６と中間プレート４２との相対回転角度（捩り角度）が大きくなる。両者の相対回転角度が所定の角度になると、内周側トーションスプリング４１の小コイルスプリング４１ｂも圧縮される。すなわち、この状態では、内周側トーションスプリング４１の大コイルスプリング４１ａと、外周側トーションスプリング４３とが、直列に圧縮されるとともに、内周側トーションスプリング４１の大コイルスプリング４１ａと小コイルスプリング４１ｂとが並列に圧縮される。
【００９０】
以上の作動により第２捩り剛性Ｋ２が形成される。捩り角度に対するトルクが、第２捩り剛性Ｋ２によって決定される範囲を、図６では符号Ｊ２で示している。そして、捩り角度がさらに大きくなると、ドリブンプレート４４の第１ストッパ爪４４ｃが中間プレート４２の切欠き部４２ｃの端面に当接する。
【００９１】
伝達されるトルクがさらに大きくなると、第１及び第２サイドプレート４５，４６と、中間プレート４２及びドリブンプレート４４（この状態では中間プレート４２及びドリブンプレート４４は同期して回転している）と、の相対回転角度（捩り角度）がさらに大きくなる。ここで、範囲Ｊ２以降では、中間プレート４２とドリブンプレート４４との相対回転が禁止されているので、外周側トーションスプリング４３が作動を停止する。すなわち、範囲Ｊ２以降では、内周側トーションスプリング４１の大コイルスプリング４１ａ及び小コイルスプリング４１ｂが圧縮される。
【００９２】
以上の作動により、第３捩り剛性Ｋ３が形成される。捩り角度に対するトルクが第３捩り剛性Ｋ３によって決定される範囲を、図６では符号Ｊ３で示している。そして、捩り角度がさらに大きくなると、ドリブンプレート４４の第２ストッパ爪４４ｄが第２サイドプレート４６の切欠き部４６ｂの端面に当接する。この状態では、内周側トーションスプリング４１の大コイルスプリング４１ａ及び小コイルスプリング４１ｂが作動を停止する。
【００９３】
［特徴］
以上のような実施形態では、ピストン３２と支持部材３５とが同期して回転するので、ピストン３２と支持部材３５との間に相対回転は生じない。このため、ピストン３２及び支持部材３５の摩耗が防止できる。また、これらの部材の間に設けられたシール部材Ｓ１，Ｓ２の摩耗を抑えることができる。
【００９４】
また、ピストン３２と支持部材３５とを同期させるための構成を、ドライブハブ３７のスリット３７ｃとピストン３２の係合凸部３２ｂとによって実現しているので、同期のための構成を軸方向においてコンパクトにすることができる。
【００９５】
［他の実施形態］
本発明は以上のような実施形態に限定されるものではなく、本発明の範囲を逸脱することなく種々の変形又は修正が可能である。
【００９６】
（ａ）図７に同期機構の他の実施形態を示している。ここでは、ドライブハブの構成のみが前記実施形態と異なり、他の構成は同じである。図７に示すドライブハブ６０は、基本的な形状は前記実施形態と同様であり、実質的に円環状のハブ本体６０ａと、ハブ本体６０ａの外周部をフロントカバー２側に折り曲げて形成された筒状部６０ｂと、を有する。前記実施形態では、筒状部に複数のスリットが形成されていたが、この実施形態ではスリットは形成されていない。筒状部６０ｂには、外周面に周方向に並ぶ凹凸部が形成されており、この凹部に、第１クラッチプレート３１ａの内周部に形成された歯が係合している。
【００９７】
そして、ピストン３２の係合凸部３２ｂも、筒状部６０ｂの凹部に、軸方向移動自在にかつ相対回転不能に係合している。これにより、ピストン３２と、ドライブハブ６０すなわち支持部材３５と、が同期して回転する。
【００９８】
（ｂ）図８に同期機構のさらに他の実施形態を示している。この実施形態では、ドライブハブ７０がフロントカバー２の側面に固定されている点を除き、他の構成は同じである。図８に示すドライブハブ７０は、実質的に円環状のハブ本体７０ａと、ハブ本体７０ａの内周部をタービン４側に折り曲げて形成された筒状部７０ｂと、を有する。そして、筒状部７０ｂには、前記実施形態と同様に、複数のスリット７０ｃが周方向の所定の間隔で形成されており、このスリット７０ｃに、第１クラッチプレート３１ａの内周部に形成された歯が係合している。
【００９９】
そして、ピストン３２の係合凸部３２ｂも、筒状部７０ｂのスリット７０ｃに、軸方向移動自在にかつ相対回転不能に係合している。これにより、ピストン３２と、ドライブハブ７０、すなわちフロントカバー２及び支持部材３５と、が同期して回転する。
【符号の説明】
【０１００】
１  トルクコンバータ
２  フロントカバー
４  タービン
７  ロックアップ装置
３１  クラッチプレート
３２  ピストン
３２ｂ  係合凸部（同期機構）
３３  スリーブ
３４  油室プレート
３４ａ  本体部（円板部）
３４ｂ  筒状部
３５  支持部材
３７  ドライブハブ
３７ｃ  スリット（同期機構）
Ｓ１，Ｓ２  シール部材
Ｐ１，Ｐ２，Ｐ３  油路
【図１】
0006656967.tif 000002
【図２】
0006656967.tif 000003
【図３】
0006656967.tif 000004
【図４】
0006656967.tif 000005
【図５】
0006656967.tif 000006
【図６】
0006656967.tif 000007
【図７】
0006656967.tif 000008
【図８】
0006656967.tif 000009